(57)【要約】      （修正有）【課題】例えばユーザの地図上の行動範囲、登録情報、嗜好の共通性等に基づいて関連する他のユーザを特定し、関連情報を提供すると共に、両ユーザを繋ぐことで情報交換、並びに人と人とのコミュニケーションを円滑化する。【解決手段】会員情報ＤＢ１１ｄを参照して、検索対象者の登録内容と他者の登録内容とを比較し、類似性の高いユーザＩＤを検索するシンクロユーザ検索部としてのシンクロユーザ検索ロジック１５０と、会員情報ＤＢ１１ｄを参照して、検索対象者の登録内容と他者の登録内容とを比較し、類似性の高いスポットＩＤを検索するシンクロスポット検索部としてのシンクロスポット検索ロジック１５２と、シンクロユーザ検索ロジック１５１による検索結果、或いはシンクロスポット検索ロジック１５２による検索結果に基づきシンクロ結果表示を促す表示部としてのユーザＩ／Ｆ２１と、を具備する。【選択図】図２４
2008165761.tif 000002
【特許請求の範囲】
【請求項１】
ユーザＩＤとユーザ成分を少なくとも対応付けて記憶する会員情報データベースと、
スポットＩＤとスポットかな、緯度・経度、カテゴリ、コメント、ユーザＩＤ、スポット成分を少なくともいずれかを対応付けて記憶したスポットテーブルと、
少なくとも上記会員情報データベースを参照して、類似の成分をもつユーザＩＤを検索する類似成分ユーザＩＤ検索部と、
この検索結果に基づいて、該当するユーザＩＤがあるか否かを判断する該当ユーザＩＤ判定部と、
類似するユーザＩＤがあると判断した場合には、類似性に基づいてシンクロ結果表示を促すユーザ固有画面表示指示部と、
上記シンクロ結果表示より所望とするシンクロユーザが選択されると、上記スポットテーブルを参照し対象スポットを抽出する対象スポット抽出部とを具備する
ことを特徴とする情報検索システム。
【請求項２】
ユーザＩＤとユーザ成分を少なくとも対応付けて記憶する会員情報データベースと、
スポットＩＤとスポットかな、緯度・経度、カテゴリ、コメント、ユーザＩＤ、スポット成分を少なくともいずれかを対応付けて記憶したスポットテーブルと、
少なくとも上記会員情報データベースを参照して、検索対象者の登録内容と他者の登録内容とを比較し、合致するユーザにつき所定のポイントを付し、該ポイントの合算値を用いることで、類似性の高いユーザＩＤを検索するシンクロユーザ検索部と、
少なくとも上記会員情報データベースを参照して、検索対象者の登録内容と他者の登録内容とを比較し、合致するスポットにつき所定のポイントを付し、該ポイントの合算値を用いることで、類似性の高いスポットＩＤを検索するシンクロスポット検索部と、
上記シンクロユーザ検索部による検索結果、或いは上記シンクロスポット検索部による検索結果に基づきシンクロ結果表示を促す表示部とを具備する
ことを特徴とする情報検索システム。
【発明の詳細な説明】
【技術分野】
【０００１】
本発明は、例えば地図情報と関連付けられて登録された情報より関連情報を抽出する地図情報連動型の情報検索システムに関する。
【背景技術】
【０００２】
従来、インターネット上では様々なＷｅｂサイトが種々の情報を日々提供しており、ユーザが所望とする情報を簡易に入手する為の環境が整いつつある。そして、このようなインターネット上の情報は膨大であることに鑑みて、インターネット上で公開されている膨大な情報群の中から所望とする情報を自ら設定するキーワードを用いて探索する機能を提供するＷｅｂサイト、即ち「検索エンジン」が一般的に使用されている。
【０００３】
そして、この検索エンジンの機能を拡張したものとして、例えば特許文献１では、インターネット等の通信回線を利用し、Ｗｅｂ上に表示される地図検索システムの地図画面上から位置指定し、検索対象となるＷｅｂサイトのアドレスやカテゴリを登録可能とし、その登録されたアドレスに対して検索エンジンが収集したデータをデータベース化する地図情報システム連動サーチエンジンサーバシステムが開示されている。
【０００４】
さらに、今日では、人と人とのつながりを促進することを目的としたコミュニティ型のＷｅｂサイト、即ちソーシャルネットワーキングサイト(SNS ; Social Networking Site)が実現されており、知人間のコミュニケーションを円滑にし、嗜好の共通性などを通じて新たな人間関係を構築する場が会員制で提供されている。
【０００５】
【特許文献１】特開２００６−２２１４４３号公報
【発明の開示】
【発明が解決しようとする課題】
【０００６】
しかしながら、前述した特許文献１では、ユーザにより登録された拠点により定められる地図上の行動範囲並びに登録情報に基づいて当該ユーザの嗜好を判断し、当該ユーザの地図上の行動範囲、登録された日付や場所等に基づく行動履歴の共通性、登録内容に基づく嗜好の共通性、或いはユーザ指定の嗜好性に基づいて、関連する情報、又はユーザを特定し、同時に嗜好の親和性の高いユーザを繋ぐことで人と人とのコミュニケーションを円滑化する点については何等示唆も開示もされてはいない。
【０００７】
本発明の目的とするところは、例えばユーザの地図上の行動範囲、登録情報、登録された日付や場所等に基づく行動履歴の共通性、登録内容に基づく嗜好の共通性、或いはユーザ指定の嗜好性の少なくともいずれかに基づいて関連する情報、またはユーザ情報を提供すると共に、嗜好の親和性の高いユーザを繋ぐことで情報交換並びに人と人とのコミュニケーションを円滑化することにある。
【課題を解決するための手段】
【０００８】
本発明の一つの観点によれば、ユーザＩＤとユーザ成分を少なくとも対応付けて記憶する会員情報データベースと、スポットＩＤとスポットかな、緯度・経度、カテゴリ、コメント、ユーザＩＤ、スポット成分を少なくともいずれかを対応付けて記憶したスポットテーブルと、少なくとも上記会員情報データベースを参照して、類似の成分をもつユーザＩＤを検索する類似成分ユーザＩＤ検索部と、この検索結果に基づいて、該当するユーザＩＤがあるか否かを判断する該当ユーザＩＤ判定部と、類似するユーザＩＤがあると判断した場合には、類似性に基づいてシンクロ結果表示を促すユーザ固有画面表示指示部と、上記シンクロ結果表示より所望とするシンクロユーザが選択されると、上記スポットテーブルを参照し対象スポットを抽出する対象スポット抽出部と、を具備することを特徴とする情報検索システムが提供される。
【０００９】
本発明の他の観点によれば、ユーザＩＤとユーザ成分を少なくとも対応付けて記憶する会員情報データベースと、スポットＩＤとスポットかな、緯度・経度、カテゴリ、コメント、ユーザＩＤ、スポット成分を少なくともいずれかを対応付けて記憶したスポットテーブルと、少なくとも上記会員情報データベースを参照して、検索対象者の登録内容と他者の登録内容とを比較し、合致するユーザにつき所定のポイントを付し、該ポイントの合算値を用いることで、類似性の高いユーザＩＤを検索するシンクロユーザ検索部と、少なくとも上記会員情報データベースを参照して、検索対象者の登録内容と他者の登録内容とを比較し、合致するスポットにつき所定のポイントを付し、該ポイントの合算値を用いることで、類似性の高いスポットＩＤを検索するシンクロスポット検索部と、上記シンクロユーザ検索部による検索結果、或いは上記シンクロスポット検索部による検索結果に基づきシンクロ結果表示を促す表示部と、を具備することを特徴とする情報検索システムが提供される。
【発明の効果】
【００１０】
本発明によれば、例えばユーザの地図上の行動範囲、登録情報、登録された日付や場所等に基づく行動履歴の共通性、登録内容に基づく嗜好の共通性、或いはユーザ指定の嗜好性の少なくともいずれかに基づいて関連する情報、またはユーザ情報を提供することにより、ユーザ自らが関連するキーワードを想定し主体的に情報を検索する場合よりも、効率的に自らの嗜好性に適した情報を提供すると同時に、嗜好の親和性の高いユーザを繋ぐことで情報交換並びに人と人とのコミュニケーションを円滑化する地図情報連動型の情報検索システムを提供することができる。
【発明を実施するための最良の形態】
【００１１】
以下、図面を参照して、本発明の実施の形態について説明する。
（第１の実施の形態）
図１には本発明の第１の実施の形態に係る地図情報連動型の情報検索システムの概要を概念図で示し説明する。
【００１２】
図１に示されるように、情報検索システム１は、制御部１２と、日記・予定情報データベース（以下、ＤＢと略記する）１１ａ、スポット情報ＤＢ１１ｂ、スタイルエンジン１１ｃを少なくとも備えており、インターネット３を介して、ユーザ端末２ａ，２ｂ…（以下、ユーザ端末を総称するときは符号２を用いる）と通信自在に接続されている。制御部１２は、ＣＰＵ等からなり、不図示のＲＯＭに格納されたコンピュータプログラム１４を読み出し、実行することで、登録機能１４ａ、スタイルシンクロ機能１４ｂ、スタイルフィルタ機能１４ｃ、コネクトメモリーズ機能１４ｄ、コネクトタイム機能１４ｅを発揮することになる。ここで、スタイルシンクロ機能１４ｂとは、同じ属性同士のマッチングを図る機能であり、スタイルフィルタ機能１４ｃとは、指定した属性（成分）により定義されるフィルタを介して類似属性（成分）をもつ情報を抽出する機能である。コネクトメモリーズ機能１４ｄとは、過去日付について、先に登録された日記・予定を場所と時間でマッチングさせる機能であり、コネクトタイム機能１４ｅとは、未来日付について、先に登録された日記・予定を場所と時間でマッチングさせる機能である。各機能の詳細については後述する。
【００１３】
このような構成において、本実施の形態に係る情報検索システム１では、ユーザ端末２側により登録された情報に基づいて、ユーザ自身の地図上の行動範囲、登録情報、登録された日付及び場所の共通性、或いは嗜好の共通性等に基づいて関連する他のユーザを特定し、この特定された他のユーザにより登録された関連情報を地図情報と関連付けて提供する。図１では、画面１００ａ，１００ｂが、その表示態様の一例となっている。即ち、画面１００ａは、スタイルシンクロ機能１４ｂによりシンクロ結果表示の一表示態様を示しており（後述する図１４に対応）、画面１００ｂは、コネクトメモリーズ機能１４ｄによるタイトル選択画面の一表示態様を示している（後述する図２１に対応）。このように、情報検索システム１は、単なる情報提供に止まらず、両ユーザ同士を繋ぐことで情報交換、並びに人と人とのコミュニケーションを円滑化するものである。
【００１４】
次に図２乃至図４には本発明の第１の実施の形態に係る地図情報連動型の情報検索システム１の構成を更に具現化して示し説明する。尚、以下で詳述する同システムの作用は、本実施の形態に係る情報検索方法の一つの例に相当するものである。
【００１５】
これら図２乃至図４に示されるように、情報検索システム１は、各種情報を記憶する記憶部１１、全体の制御を司るＣＰＵ等からなる制御部１２、インターネット３を介した通信を実現する通信制御部１３を有している。
【００１６】
より詳細には、記憶部１１は、更に日記・予定情報ＤＢ１１ａ、スポット情報ＤＢ１１ｂ、スタイルエンジン１１ｃ、スタイルエンジン１１ｃ、会員情報ＤＢ１１ｄ、ＳＮＳ１１ｅ、セキュリティＤＢ１１ｆに大別される。このスポット情報ＤＢ１１ｂには、さらにシンクロリレーションテーブル１１ｂ−１、シンクロスポットテーブル１１ｂ−２、スタイルテンプレート１１ｃ−３、スポットテーブル１１ｃ−４が格納されている。
【００１７】
そして、制御部１２は、先に図１で前述した各機能１４ａ乃至１４ｅに対応する各部１２１乃至１４８を論理的に備えている。各部１２１乃至１４８の作用については、フローチャートを参照しつつ後述する。制御部１２の各部１２１乃至１４８は、各種ＤＢ１１ａ乃至１１ｆに加えて、地図情報ＤＢ４を適宜活用する。
【００１８】
符号２１１乃至２３６は、ユーザ端末２側のユーザＩ／Ｆ２１のアイコン或いは表示を意味している。これらアイコンが選択されると、各選択に応じて、制御部１２の該当する各部１２１乃至１４８が、記憶部１１の各ＤＢ１１ａ乃至１１ｆ並びに地図情報ＤＢ４を適宜参照しつつ、対応した処理を実行することになる。
【００１９】
ここで、当該処理について更に詳細に説明する。尚、以下で詳述する同システムの処理は、本実施の形態に係る情報検索方法の一つの例に相当する
先ず、図５及び図６のフローチャートを参照して、本発明の第１の実施の形態に係る地図連動型の情報検索システム１による一連の処理の全体像を説明する。
【００２０】
この図５及び図６に示されるように、処理は、ユーザログオン（ステップＳ１）、スポット登録（ステップＳ２）、スタイルシンクロ実行（ステップＳ３）、スタイルフィルタ実行（ステップＳ４）、スタイルシンクロＩＩ実行（バッチ処理）（ステップＳ５）、日記・予定登録（ステップＳ６）、思い出シンクロ実行（ステップＳ７）、の各処理に大別される。
【００２１】
以下、各処理の概要を更に図５及び図６を参照しつつ説明する。
【００２２】
「ユーザログオン処理（ステップＳ１）」では、ユーザ端末２にログオン画面が表示された状態で（ステップＳ１Ａ）、ユーザによりログオンに係る操作がなされると（ステップＳ１Ｂ）、当該ユーザの固有画面を表示するように促す（ステップＳ１Ｃ）。
【００２３】
「スポット登録処理（ステップＳ２）」では、ユーザ端末２にスポット登録画面が表示された状態で（ステップＳ２Ａ）、ユーザによりスポット登録に係る操作がなされると（ステップＳ２Ｂ）、当該スポットをアイコンで表示するように促す（ステップＳ２Ｃ）。以上は登録機能１４ａが中心となって実現される処理である。
【００２４】
「スタイルシンクロ実行処理（ステップＳ３）」では、ユーザ端末２にユーザ固有画面が表示された状態で（ステップＳ３Ａ）、ユーザによりシンクロサーチのリクエストが実行されると（ステップＳ３Ｂ）、シンクロ結果を表示するように促す（ステップＳ３Ｃ）。後述するが、スタイルシンクロＩの実行では、ヒット数上位順での表示がなされることになる。以上はスタイルシンクロ機能１４ｂが中心となって実現される処理である。
【００２５】
「スタイルフィルタ実行処理（ステップＳ４）」では、ユーザ端末２にユーザ固有画面が表示された状態で（ステップＳ４Ａ）、ユーザによりフィルタ選択がなされると（ステップＳ４Ｂ）、アイコンを表示するように促すことになる（ステップＳ４Ｃ）。以上は、スタイルフィルタ機能１４ｃが中心となって実現される処理である。
【００２６】
「スタイルシンクロＩＩ実行処理（ステップＳ５）では、ログオン画面が表示された状態で(ステップＳ５Ａ)、ログオンがなされると（ステップＳ５Ｂ）、シンクロ結果表示を表示するように促すことになる（ステップＳ５Ｃ）。これは、バッチ処理でスタイルシンクロＩＩが実行されているから実現されるものである。以上は、スタイルシンクロ機能１４ｂが中心となって実現される処理である。
【００２７】
「日記・予定登録処理（ステップＳ６）」では、ユーザ端末２に日記・予定登録画面が表示された状態で（ステップＳ６Ａ）、ユーザにより日記・予定登録がなされると（ステップＳ６Ｂ）、アイコンを表示するように促すことになる（ステップＳ６Ｃ）。以上は、登録機能１４ａが中心となって実現される機能である。
【００２８】
「日記・予定シンクロ実行処理（ステップＳ７）」では、ユーザ端末２にユーザ固有画面が表示された状態で（ステップＳ７Ａ）、ユーザにより検索キーワード・カテゴリ指定がなされると（ステップＳ７Ｂ）、シンクロサーチリクエストを実行し（ステップＳ７Ｃ）、シンクロ日記・予定（他のユーザ分）タイトルを表示するように促し（ステップＳ７Ｄ）、タイトルが選択されると（ステップＳ７Ｅ）、シンクロ日記・予定（他のユーザ分）を表示するように促す（ステップＳ７Ｆ）。以上は、コネクトメモリリーズ機能１４ｄ、コネクトタイム機能１４ｅが中心となって実現される機能である。尚、ステップＳ７Ａのユーザによる検索キーワード・カテゴリ指定は省略することもできる。
【００２９】
次に上記ステップＳ１乃至Ｓ７の各処理について更に詳細に説明する。
【００３０】
先ず、図７のフローチャートを参照して、ユーザログオン処理を更に詳細に説明する。
【００３１】
ここでは、図２の構成図を適宜参照して説明を進める。
【００３２】
ユーザ端末２にログオン画面が表示された状態で（ステップＳ１００）、ログオンのアイコン２１１が選択される等、ログオンのための操作がなされると（ステップＳ１０１）、ユーザ端末２より情報検索システム１側にユーザＩＤ等が送信される。情報検索システム１では、ユーザ承認部１２１がセキュリティＤＢ１１ｆ、会員情報ＤＢ１１ｄを参照して所定の認証処理を行う（ステップＳ１０２）。認証成立の場合には、情報検索システム１では、ユーザ固有画面表示指示部１２２が、スポットテーブル１１ｂ−４、日記・予定情報ＤＢ１１ａの日記・予定テーブルを参照してユーザ固有画面を生成し、ユーザ端末２に当該ユーザ固有画面の表示を促す（ステップＳ１０３）。尚、ユーザ固有画面を生成し表示するにあたっては、地図情報ＤＢ４を適宜参照する（以下、同様）。こうしてユーザ端末２では、ユーザ固有画面２１２が表示される（ステップＳ１０４）。尚、図７にも「対象データ構造」として示したように、会員情報ＤＢ１１ｄには、ユーザＩＤと見出しが少なくとも対応付けられて記憶されている。スポットテーブル１１ｂ−４では、スポットＩＤとスポットかな、緯度・経度、カテゴリ、作成日時、更新日時、コメント、ユーザＩＤが少なくとも対応付けられて記憶されている。そして、日記・予定情報ＤＢ１１ａの日記・予定テーブルには、日記ＩＤ、経度・緯度、イベント日時、カテゴリ、タイトル、本文、作成日時、更新日時、ユーザＩＤが少なくとも対応付けられて記憶されている。
【００３３】
次に図８のフローチャートを参照して、スポット登録処理を更に詳細に説明する。ここでは、図２の構成図を適宜参照して説明を進める。
【００３４】
ユーザ端末２にて、ユーザ固有画面が表示された状態で（ステップＳ２００）、登録したい場所を地図上で選択する等、スポット登録リクエストがなされると（ステップＳ２０１）、情報検索システム１では、スポット名称候補抽出部１２３が、スポットテーブル１１ｂ−４、シンクロリレーションテーブル１１ｂ−１、シンクロスポットテーブル１１ｂ−２を参照して、スポット名称候補を抽出し（ステップＳ２０３）、スポット登録画面表示指示部１２４が、このスポット名称候補の表示をユーザ端末２に促す（ステップＳ２０４）。即ち、ステップＳ２０３では、既に近辺に登録されているスポット名称があれば、それを候補として抽出する。
【００３５】
これを受け、スポット登録画面が表示された状態で（ステップＳ２０５）、所定の入力或いは操作がなされる（ステップＳ２０６）。尚、このスポット登録画面では、登録情報を入力するための領域が設けられている。この登録情報としては、例えばシンクロ名、スポット名、公開設定、ジャンル、ステータス、電話番号、ＵＲＬ、コメント、写真等があるが、これに限定されるものではない。スポット登録内容確定のアイコン２１４が選択されると（ステップＳ２０７）、情報検索システム１では、スポットテーブル更新部１２５が、スポットテーブル１１ｂ−４を更新する（ステップＳ２０８）。
【００３６】
続いて、一致度判定部１２６が、「経度・緯度」、或いは「スポットかな」が一致するスポットがあるか否かを判断する（ステップＳ２０９）。ここで、一致するスポットがない場合には処理を終了する（ステップＳ２１０）。
【００３７】
一方、ステップＳ２０９にて、一致するスポットがあると判断した場合には、シンクロリレーションテーブル１１ｂ−１およびシンクロスポットテーブル１１ｂ−２を更新する（ステップＳ２１１）。ここで、シンクロリレーションテーブル１１ｂ−１には、シンクロＩＤとスポットＩＤ及びユーザＩＤの組みが複数対応付けられて記憶されている。シンクロスポットテーブル１１ｂ−２には、シンクロＩＤとかな、緯度・経度が対応付けられて記憶されている。ステップＳ２０８でスポットテーブル１１ｂ−４が更新された場合、及びステップＳ２１１でシンクロリレーションテーブル１１ｂ−１、シンクロスポットテーブル１１ｂ−２が更新された場合には、ユーザ固有画面表示指示部１２７がユーザ固有画面の表示を促す（ステップＳ２１２）。これを受けて、ユーザ端末２ではユーザ固有画面２１５が表示される（ステップＳ２１３）。
【００３８】
次に図９のフローチャートを参照して、スタイルシンクロＩＩの処理を更に詳細に説明する。ここでは、図２の構成図を適宜参照して説明を進める。
【００３９】
非シンクロスポットについては、バッチ処理でスポットテーブル成分更新部１２８がスポットテーブル１１ｂ−４の成分を更新する（ステップＳ２２０）。シンクロスポットについては、バッチ処理でシンクロスポットテーブル成分更新部１２９がシンクロスポットテーブル１１ｂ−２の成分を更新し（ステップＳ２３０）、バッチ処理でスポットテーブル成分更新部１２８がスポットテーブル１１ｂ−４の成分を更新し（ステップＳ２３１）、バッチ処理で会員情報テーブル成分更新部１３０が会員情報ＤＢ５のテーブルの成分を更新する（ステップＳ２３２）。
【００４０】
次に図１０のフローチャートを参照して、スタイルシンクロ実行処理（スタイルシンクロＩ）につき更に詳細に説明する。ここでは、図３の構成図を適宜参照する。
【００４１】
ユーザ端末２にユーザ固有画面が表示された状態で（ステップＳ３００）、スタイルシンクロＩのアイコン２１６が選択され、スタイルシンクロサーチのリクエストが実行されると（ステップＳ３０１）、情報検索システム１では、シンクロスポット抽出部１３１がシンクロリレーションテーブル１１ｂ−１を参照して、シンクロスポットを抽出する（ステップＳ３０２）。そして、該当スポット判定部１３２が該当するスポットがあるか否かを判断し（ステップＳ３０３）、該当するスポットがないと判断した場合にはシンクロ結果表示（シンクロ無）を促す（ステップＳ３０４）。これを受けて、ユーザ端末２は、ユーザ固有画面（シンクロ結果表示（無））２１７を表示する（ステップＳ３０５）。
【００４２】
その一方、ステップＳ３０３にて、該当するスポットがあると判断した場合には、ユーザＩＤ別ヒット数カウント部１３３がユーザＩＤ別にヒット数をカウントし（ステップＳ３０６）、シンクロ結果表示（ヒット数降順）を促す（ステップＳ３０７）。これを受けてユーザ端末２は、ユーザ固有画面（シンクロ結果表示（有））２１８を表示する（ステップＳ３０８）。このユーザ固有画面が表示された状態で、シンクロユーザ選択のアイコン２２２が選択されると（ステップＳ３１０）、情報検索システム１では、対象スポット抽出部１３７がスポットテーブル１１ｂ−４を参照し、固有画面表示指示部１３８が、選択メンバの固有画面表示を促す（ステップＳ３１１）。これを受けて、ユーザ端末２では、選択メンバのユーザ固有画面２２６を表示する（ステップＳ３１２）。
【００４３】
尚、図１１に示したように、シンクロスポットを抽出する際に、シンクロスポット抽出部１３１がシンクロリレーションテーブル１１ｂ−１に加えて、地図情報ＤＢ４を参照して、画面に表示された範囲内でシンクロスポットを抽出するようにしてもよい（ステップＳ３０２’）。
【００４４】
次に図１２のフローチャートを参照して、スタイルシンクロ実行処理（スタイルシンクロＩＩ）につき更に詳細に説明する。ここでは、図３の構成図を適宜参照する。
【００４５】
ユーザ端末２にユーザ固有画面が表示された状態で（ステップＳ３２０）、スタイルシンクロＩＩのアイコン２１９が選択され、スタイルシンクロサーチのリクエストが実行されると（ステップＳ３２１）、情報検索システム１では、類似成分ユーザＩＤ検索部１３４が会員情報ＤＢ５のテーブルを参照して、類似成分をもつユーザ（ユーザＩＤ）を検索する（ステップＳ３２２）。このとき、地図情報ＤＢ４とスポットテーブル１１ｂ−４を参照し、画面に表示されている範囲内で類似成分をもつユーザ（ユーザＩＤ）を検索する。尚、会員情報ＤＢ１１ｄには、少なくともユーザＩＤと見出し、ユーザ成分が対応付けられて記憶されている。
【００４６】
そして、該当ユーザＩＤ判定部１３５が該当するユーザ（ユーザＩＤ）があるか否かを判断し（ステップＳ３２３）、該当するユーザ（ユーザＩＤ）がないと判断した場合にはシンクロ結果表示（シンクロ無）を促す（ステップＳ３２４）。
【００４７】
これを受けてユーザ端末２は、ユーザ固有画面（シンクロ結果表示（無））２２０を表示する（ステップＳ３２５）。その一方で、上記ステップＳ３２３にて、類似するユーザ（ユーザＩＤ）があると判断した場合には、類似上位者抽出部１３６が会員情報ＤＢ５のテーブルを参照して、類似性上位者を抽出し（ステップＳ３２６）、シンクロ結果表示（類似性上位順）を促す（ステップＳ３２７）。これを受けて、ユーザ端末２では、ユーザ固有画面（シンクロ結果表示（有））２２１を表示する（ステップＳ３２８）。
【００４８】
このユーザ固有画面が表示された状態で、シンクロユーザ選択のアイコン２２２が選択されると（ステップＳ３３０）、情報検索システム１では、対象スポット抽出部１３７がスポットテーブル１１ｂ−４を参照し、固有画面表示指示部１３８が選択メンバのユーザ固有画面の表示を促す（ステップＳ３３１）。これを受けてユーザ端末２では、選択メンバのユーザ固有画面２２６を表示する（ステップＳ３３２）。
【００４９】
尚、図１３に示したように、スタイルシンクロＩＩをバッチ処理で実行しておくことを想定すると、ログオン画面が表示された状態で（ステップＳ３２０'）、ログオンに係る一連の処理がなされると（ステップＳ３２１'）、類似成分ユーザＩＤ検索に入るようにしてもよいことは勿論である。尚、ログオン処理については、図７で前述した通りである。
【００５０】
ここで、図１４にはスタイルシンクロの実行結果に係る表示画面の一例を示す。
【００５１】
即ち、この図１４に示されるように、画面１０１には、スタイルシンクロの実行結果として、例えばユーザの地図上の行動範囲、登録情報、或いは嗜好の共通性の少なくともいずれかに基づいて、関連するユーザを特定し、当該ユーザの行動範囲や登録された場所等の情報が表示される。さらに、画面１０１の右下には、スタイルシンクロの結果、関連性が認められたユーザ名が列挙される。
【００５２】
次に図１５のフローチャートを参照して、スタイルフィルタ実行処理（他人眼鏡）につき更に詳細に説明する。ここでは、図３の構成図を適宜参照する。
【００５３】
ユーザ端末２にユーザ固有画面が表示された状態で（ステップＳ４００）、テンプレート選択のアイコン２２３が選択され（ステップＳ４０１）、或いはシンクロユーザ選択のアイコン２２２が選択されると（ステップＳ４０２）、情報検索システム１では、対象スポット抽出部１３７が、スポットテーブル１１ｂ−４を参照して、対象スポットを抽出する（ステップＳ４０３）。そして、固有画面表示指示部１３８がユーザ固有画面の表示を促す（ステップＳ４０４）。これを受けて、ユーザ端末２ｄはユーザ固有画面２２６を表示する（ステップＳ４０５）。
【００５４】
次に図１６のフローチャートを参照して、スタイルフィルタ実行処理（自分眼鏡）につき更に詳細に説明する。ここでは、図３の構成図を適宜参照する。
【００５５】
ユーザ端末２にユーザ固有画面が表示された状態で（ステップＳ４２０）、成分調整のアイコン２２５が選択され（ステップＳ４２１）、或いは検索キーワード・カテゴリ指定のアイコン２２４が選択されると（ステップＳ４２２）、情報検索システム１では、対象スポット抽出部１３７が会員情報ＤＢ５のテーブル及びスポットテーブル１１ｂ−４を参照して対象スポットを抽出し（ステップＳ４２３）、固有画面表示指示部１３８がユーザ固有画面の表示を促す（ステップＳ４２４）。これを受けて、ユーザ端末２では、ユーザ固有画面２２６を表示する（ステップＳ４２５）。
【００５６】
ここで、図１７,１８にはスタイルフィルタの実行結果に係る表示画面の一例を示す。
【００５７】
即ち、図１７がスタイルフィルタ処理（他人眼鏡）の実行結果を示しており、図１８はスタイルフィルタ処理（自分眼鏡）の実行結果を示している。
【００５８】
図１７において、左下の「マップ」とある領域より所望とするテンプレートを選択すると、或いは右下の「スタイルシンクロ」とある領域に列挙されている関連ユーザ名の中から所望とするシンクロユーザを選択すると、前述したように対象スポット抽出部１３７による対象スポット抽出が行われ、画面が更新される。この例では、スタイルフィルタ処理の実行結果が黒の四角枠で表示されている。
【００５９】
また、図１８において、右上の「条件」とある領域に所望とする検索キーワード・カテゴリを入力して指定し、或いは画面の右上の６角形で示されているレーダーチャートのバランスを調整（成分調整）すると、対象スポット抽出部１３７による対象スポット抽出が行われ、画面が更新される。この例でも、同様に、スタイルフィルタ処理の実行結果が黒の四角枠で表示されている。
【００６０】
次に図１９のフローチャートを参照して、日記・予定登録処理（コネクトメモリーズ、コネクトタイム）について詳細に説明する。
【００６１】
ユーザ端末２にユーザ固有画面が表示された状態で（ステップＳ５９８）、日記・予定登録のアイコン２２７が選択されると（ステップＳ５９９）、日記・予定登録画面が表示され（ステップＳ６００）、所定の入力がなされると（ステップＳ６０１）、情報検索システム１側では日記・予定テーブル更新部１３９が日記・予定情報ＤＢ１１ａの日記・予定テーブルを更新し（ステップＳ６０２）、ユーザ固有画面表示設定部１４０が、ユーザ固有画面の表示を促す（ステップＳ６０３）。これを受けて、ユーザ端末２では、ユーザ固有画面（日記・予定登録画面）２２８を表示する（ステップＳ６０４）。
【００６２】
次に図２０のフローチャートを参照して、日記・予定シンクロ実行処理（コネクトメモリーズ、コネクトタイム）について詳細に説明する。
【００６３】
ユーザ端末２にユーザ固有画面が表示された状態で（ステップＳ７００）、検索キーワード・カテゴリ指定のアイコン２２９が選択され、及び／又はシンクロリクエストのアイコン２３０が選択され、即ちシンクロサーチリクエスト実行、或いは検索キーワード・カテゴリ指定後にシンクロサーチリクエスト実行の操作がなされると（ステップＳ７０１，Ｓ７０２）、シンクロ日記抽出部１４１が日記・予定テーブルを参照して、シンクロ日記・予定抽出処理を実行する（ステップＳ７０３）。続いて、条件判定部１４２が条件に一致する日記があるか否かを判断し（ステップＳ７０４）、この判断の結果、条件に一致する日記が無い場合には固有画面表示指示部１４３がシンクロ結果表示（シンクロ無）を促すことになる（ステップＳ７０５）。これを受けて、ユーザ端末２はユーザ固有画面（シンクロ結果表示（無））２３１を表示する（ステップＳ７０６）。
【００６４】
一方、上記ステップＳ７０４にて、条件に一致する日記・予定があると判断した場合には、シンクロ日記表示指示部１４４がユーザ固有画面（シンクロ日記・予定表示）の表示を促す（ステップＳ７０７）。これを受けて、ユーザ端末２はユーザ固有画面（シンクロ日記・予定表示）を表示する。このユーザ固有画面が表示された状態で、シンクロ日記・予定選択のアイコン２３３が選択されると（ステップＳ７１０）、情報検索システム１では、シンクロ日記・予定抽出部１４５が日記・予定テーブルを参照して、シンクロ日記抽出処理を実行し（ステップＳ７１１）、シンクロ日記・予定表示指示部１４６がシンクロ日記表示を促す（ステップＳ７１２）。これを受けて、ユーザ端末２は、ユーザ固有画面（シンクロ日記・予定表示）２３４を表示する（ステップＳ７１３）。
【００６５】
このユーザ固有画面２３４が表示された状態で、タイトル選択のアイコン２３５が選択されると（ステップＳ７１４）、情報検索システム１では、シンクロ日記・予定（他ユーザ分）抽出部１４７が日記・予定テーブルを参照して、シンクロ日記・予定（他ユーザ分）抽出部１４７がユーザ固有画面（シンクロ日記・予定（他ユーザ分））の表示を促すことになる（ステップＳ７１５）。これを受けて、ユーザ端末２では、ユーザ固有画面（シンクロ日記・予定（他ユーザ分））２３６を表示する（ステップＳ７１６）。
【００６６】
ここで、図２１には日記・予定シンクロ実行処理（コネクトメモリーズ、コネクトタイム）結果に係る表示の一例を示す。
【００６７】
この図２１に示されるように、画面１０６の右下には、シンクロした自分の日記・予定、シンクロした思い出が列挙される。所望とするシンクロした自分の日記・予定の項目より所望とするものをクリックすると、当該地図上のスポットに対応付けられて記憶されている、他のユーザの日記・予定が表示される。
【００６８】
以上説明したように、本発明の一実施の形態によれば、例えばユーザの地図上の行動範囲、登録情報、登録された日付や場所の共通性、或いは嗜好の共通性の少なくともいずれかに基づいて関連するユーザを特定し、関連情報を提供すると共に、両ユーザを繋ぐことで人と人とのコミュニケーションを円滑化することができる。
【００６９】
即ち、より詳細には、ユーザ自らが関連するキーワードを想定し主体的に情報を検索する場合よりも、効率的に自らに適した情報を提供すると共に、両ユーザを繋ぐことで人と人とのコミュニケーションを円滑化することができる。
（第２の実施の形態）
次に本発明の第２の実施の形態について説明する。
【００７０】
前述した第１の実施の形態では、会員情報ＤＢを参照し、類似成分を持つユーザのユーザＩＤを検索し、その結果を表示し（スタイルシンクロＩＩ）、検索結果から選択されたユーザ、または特定のスタイルテンプレートの登録しているスポット、またはこれらの成分調整後の条件に合致するスポットを表示する（スタイルフィルタ）ものであった。
【００７１】
これに対して、本発明の第２の実施の形態に係る地図情報連動型の情報検索システムは、会員情報ＤＢを参照して、登録内容が一致するユーザ、類似成分を持つユーザ、類似性の高いユーザの登録内容から類似ユーザを抽出すると共に（シンクロユーザ）、登録内容が近似するユーザの登録スポット、類似成分を持つユーザの登録スポット、登録スポットの人気順等により、検索を実行する対象であるユーザに適したスポット検索、並びに結果表示を行なうこと（シンクロスポット）を特徴の一つとしており、スタイルシンクＩＩの強化版と位置づけることができる。
【００７２】
先ず、図２２には本発明の第２の実施の形態に係る地図情報連動型の情報検索システムの概要を概念図で示し説明する。尚、この図２２の構成のうち、第１の実施の形態の構成（図１）と同一構成については、同一符号を用いて、重複した説明は省略する。
【００７３】
この図２２に示されるように、第２の実施の形態に係る地図情報連動型の情報検索システムでは、制御部１２が、コンピュータプログラム１４を実行することで、シンクロスポット検索機能１４ｆ、シンクロユーザ検索機能１４ｇを奏する点が、第１の実施の形態と異なっている。ここで、「シンクロスポット検索機能１４ｆ」とは、類似性の高いスポットを検索する機能である。そして、「シンクロユーザ検索機能１４ｇ」とは、類似性の高いユーザを検索する機能である。即ち、この第２の実施の形態では、ユーザの検索とスポットの検索を論理的に分けている。尚、シンクロユーザ検索機能１４ｇは、スタイルシンクロ機能１４ｂの持つ諸機能のうち、類似成分を持つユーザを抽出する機能（スタイルシンクロＩＩ）を更に発展させたものであり、この場合、スタイルシンクロ機能１４ｂの前述したスタイルシンクロＩのみが機能し、スタイルシンクロＩＩの機能はシンクロユーザ検索機能１４ｇに代替されることになる。
【００７４】
次に図２３及び２４には本発明の第２の実施の形態に係る地図情報連動型の情報検索システム１の構成を更に具現化して示し説明する。尚、以下で詳述する同システムの作用は本実施の形態に係る情報検索方法の一つの例に相当するものである。
【００７５】
尚、この図２３，２４の構成のうち、第１の実施の形態の構成（図２乃至図４）と同一構成については、同一符号を用いて、重複した説明は省略する。
【００７６】
図２３，２４に示されるように、記憶部１１には、スタイルエンジン１１ｃに加えて成分ＤＢ１１ｇが構成として含まれている。ここで、「成分ＤＢ１１ｇ」とは、ユーザの成分を初期段階で登録するための、あるいはサービス利用中に変更・更新されるＤＢである。制御部１２は、シンクロスポット検索ロジック１５０、結果表示部１５１、シンクロユーザ検索ロジック１５２、結果表示部１５３を論理的に備える。ロジック１５０，１５２の詳細は後述する。ユーザ端末２側のユーザＩ／Ｆ２１では、アイコン或いは画面として、ユーザ成分設定画面２４０、シンクロスポット検索アイコン２５０、シンクロスポット検索結果画面２５１、シンクロユーザ検索アイコン２５２、シンクロユーザ検索結果画面２５３ユーザ成分設定画面２４０が表示可能となっている。
【００７７】
次に図２５のフローチャートを参照して、本発明の第２の実施の形態に係る地図連動型の情報検索システム１による一連の処理の全体像を説明する。
【００７８】
この図２５に示されるように、処理は、ユーザログオン（ステップＳ１）、スポット登録（ステップＳ２）、ユーザ成分登録（ステップＳ１１）、シンクロスポット検索（ステップＳ１２）、シンクロユーザ検索（ステップＳ１３５）の各処理に大別される。２つの登録（Ｓ２，Ｓ１１）の結果に基づいて、検索（Ｓ１２，Ｓ１３）が実施される。
【００７９】
以下、各処理の概要を更に図２５を参照しつつ説明する。尚、「ユーザログオン処理（ステップＳ１）」、「スポット登録処理（ステップＳ２）」については、第１の実施の形態で前述した通りであるので、重複した説明は省略する。
【００８０】
先ず、「ユーザ成分登録（ステップＳ１１）」では、ユーザ端末２にユーザ固有画面が表示された状態で（ステップＳ１１Ａ）、ユーザ成分登録がなされ（ステップＳ１１Ｂ）る。そして、「シンクロスポット検索（ステップＳ１２）」では、ユーザ端末２にユーザ固有画面が表示された状態でシンクロスポット検索アイコン２５０が選択されると、シンクロスポット検索ロジック１５０によりシンクロスポット検索が実行され（ステップＳ１２Ｂ）、結果表示部１５１によりシンクロスポット検索結果画面２５１が表示される（ステップＳ１２Ｃ）。この図２５では、シンクロスポット検索（ステップＳ１２）をバッチ処理としてログオン画面を表示する例を示したが、これに限定されることなく、地図上の特定地域を指定したオンデマンドでの実行も可能であることは勿論である。以上は、シンクロスポット検索機能１４ｆが中心となって実現される処理である。
【００８１】
さらに、「シンクロユーザ検索（ステップＳ１３）」では、ユーザ端末２にユーザ固有画面が表示された状態でシンクロユーザ検索アイコン２５２が選択されると（ステップＳ１３Ａ）、シンクロスユーザ検索ロジック１５２によりシンクロユーザ検索が実行され（ステップＳ１３Ｂ）、結果表示部１５３によりシンクロユーザ検索結果画面２５３が表示される（ステップＳ１３Ｃ）。以上は、シンクロユーザ検索機能１４ｇが中心となって実現される処理である。シンクロユーザ検索（ステップＳ１３）は、Ｓ１２と同様、地図上の特定地域を指定したオンデマンドでの実行だけでなく、ログオン時のバッチ起動も可能であることは勿論である。
【００８２】
次に図２６のフローチャートを参照して、ユーザ成分登録（設定）（ステップＳ１１）について更に詳細に説明する。ここでは、図２３の構成図を適宜参照する。
【００８３】
ユーザ端末２のユーザＩ／Ｆ２１にてユーザ固有画面２１５が表示され（ステップＳ８００）、ユーザ操作により成分設定のリクエストがなされると（ステップＳ８０１）、ユーザ端末２のユーザＩ／Ｆ２１にてユーザ成分設定画面２４０が表示され（ステップＳ８０２）、ユーザ操作によりユーザ成分の入力がなされると（ステップＳ８０３）、制御部１２の会員情報テーブル成分更新部１３０により記憶部１１の成分ＤＢ１１ｇに該ユーザ成分の登録（或いは更新）がなされる。以上の一連の処理により、ユーザ成分が、成分ＤＢ１１ｇに蓄積されることになる。
【００８４】
次に図２７のフローチャートを参照して、シンクロスポット検索（ステップＳ１２）につき更に詳細に説明する。ここでは、図２４の構成図を適宜参照する。
【００８５】
ユーザ端末２にユーザ固有画面が表示された状態で（ステップＳ９００）、ユーザ操作によりシンクロスポット検索アイコン２５０が選択され、スタイルシンクロサーチのリクエストが実行されると（ステップＳ９０１）、制御部１２のシンクロスポット検索ロジック１５０は、スポットテーブル１１ｂ−４、会員情報ＤＢ１１ｄ、シンクロリレーションテーブル１１ｂ−１、シンクロスポットテーブル１１ｂ−２、地図情報ＤＢ４、スタイルエンジン１１ｃ、成分ＤＢ１１ｇを参照して、後述する検索ロジックにより演算を行い、類似成分をもつスポット（スポットＩＤ）を検索する（ステップＳ９０２）。
【００８６】
そして、制御部１２のシンクロスポット検索ロジック１５０は、スポットテーブル１１ｂ−４を参照して、関連情報を取得し（ステップＳ９０３）、結果表示部１５１がシンクロスポット検索結果画面２５１の表示を促す（ステップＳ９０４）。これを受けて、ユーザ端末２では、ユーザ固有画面（シンクロスポット検索結果画面２５１）をユーザＩ／Ｆ２１にて表示する（ステップＳ９０５）。
【００８７】
このユーザ固有画面が表示された状態で（ステップＳ９０６）、ユーザ操作により不図示のシンクロスポット選択のアイコンが選択されると（ステップＳ９０７）、制御部２は、結果表示部１５１が選択スポット固有画面の表示を促す（ステップＳ９０８）。これを受けてユーザ端末２では、図２４では不図示のスポット情報表示画面をユーザＩ／Ｆ２１に表示する（ステップＳ９０９）。こうして、シンクロスポット検索に係る一連の処理を終了する。
【００８８】
次に図２８のフローチャートを参照して、シンクロユーザ検索（ステップＳ１３）につき更に詳細に説明する。ここでは、図２４の構成図を適宜参照する。
【００８９】
ユーザ端末２にユーザ固有画面が表示された状態で（ステップＳ９２０）、ユーザ操作によりシンクロユーザ検索アイコン２５２が選択され、スタイルシンクロサーチのリクエストが実行されると（ステップＳ９２１）、制御部１２のシンクロユーザ検索ロジック１５２は、スポットテーブル１１ｂ−４、会員情報ＤＢ１１ｄ、地図情報ＤＢ４、シンクロリレーションテーブル１１ｂ−１、スタイルエンジン１１ｃ、成分ＤＢ１１ｇを参照して、後述する検索ロジックにより演算を行い、類似成分をもつユーザ（ユーザＩＤ）を検索する（ステップＳ９２２）。
【００９０】
制御部１２のシンクロユーザ検索ロジック１５２は、会員情報を参照して、関連情報を取得し（ステップＳ９２３）、結果表示部１５３がシンクロユーザ検索結果画面２５３の表示を促す（ステップＳ９２４）。これを受けて、ユーザ端末２では、ユーザ固有画面（シンクロユーザ検索結果画面２５３）をユーザＩ／Ｆ２１にて表示する（ステップＳ９２５）。このユーザ固有画面が表示された状態で（ステップＳ９２６）、ユーザ操作により不図示のシンクロユーザ選択のアイコンが選択されると（ステップＳ９２７）、制御部２は、結果表示部１５１が選択メンバユーザ固有画面の表示を促す（ステップＳ９２８）。これを受けてユーザ端末２では、図２４では不図示の選択メンバユーザ固有画面をユーザＩ／Ｆ２１に表示する（ステップＳ９２９）。こうして、シンクロスポット検索に係る一連の処理を終了する。
【００９１】
次に、シンクロスポット検索ロジック１５０の検索ロジックを詳述する。
【００９２】
該検索ロジックとしては、例えば以下の（ａ）乃至（ｃ）を採用することができる。
【００９３】
前提として、シンクロスポットの検索対象者であるユーザＡは、スポットＮｏ．ｎ（ｎは整数）のみ（基本スポットと称する）を登録しているものとする。そして、Ａ以外の他の複数のユーザは検索を実行する範囲内に任意にスポットをＮｏ．ｎ、ｎ＋１、…ｎ＋ｍ（ｍは整数）を登録しているものとする。尚、一人が複数のスポットを登録している場合や、一つのスポットを複数人が登録している場合もあるものとする。以下、各検索ロジックについて詳述する。
【００９４】
（ａ）第１の検索ロジック
先ず、ユーザＡ以外でスポットＮｏ．ｎの第１の基本スポットを登録しているユーザを全て抽出する。この抽出されたユーザで構成される第１のユーザ群を｛Ａ｝とし、該第１のユーザ群｛Ａ｝のうちｘ番目の第１の特定ユーザをＡｘとする。次に、第１のユーザ群｛Ａ｝のユーザ全員に対して、第１の特定ユーザＡｘが登録しているＮｏ．ｎの第１の基本スポット以外のスポットで構成される第１のスポット群｛Ｓｘ｝かつ検索範囲内に登録されているものに第１の所定ポイント（この例では、１０ポイント）を加算する。
続いて、第１のスポット群｛Ｓｘ｝のうち第２の基本スポットＳｘを登録しているユーザを全て抽出する。この抽出されたユーザで構成される第２のユーザ群を｛Ａ’｝とし、該第２のユーザ群｛Ａ’｝のｘ番目の第２の特定ユーザをＡ’ｘとする。こうして、第２のユーザ群｛Ａ’｝のユーザ全員に対して、第２の特定ユーザＡ’ｘが登録している第２の基本スポットＳｘ以外のスポットで構成される第２のスポット群｛Ｓ’ｘ｝かつ検索範囲内に登録されているものに第２の所定ポイント（この例では、１ポイント）を加算する。
【００９５】
（ｂ）第２の検索ロジック
検索対象者であるユーザＡのスタイル成分と同じ成分を持つユーザを抽出する。この抽出されたユーザで構成される第３のユーザ群を｛Ａ’’｝とし、該第３のユーザ群｛Ａ’’｝のｘ番目の第３の特定ユーザをＡ’’ｘとする。ここで、スタイル成分とは、所定数（例えば５つ）のパラメータからなる。上記「同じ成分を持つ」とは、所定数のパラメータの全てが一致する場合をいう。こうして、第３の特定ユーザＡ’’ｘが登録している第３のスポット群｛Ｔｘ｝かつ検索範囲内に登録されているものに第３の所定ポイント（この例では、１０ポイント）を加算する。
続いて、検索対象者であるユーザＡのスタイル成分と類似する成分を持つユーザを抽出する。この抽出されたユーザで構成される第４のユーザ群を｛Ａ’’’｝とし、該第４のユーザ群｛Ａ’’’｝のｘ番目の第４の特定ユーザをＡ’’’ｘとする。ここで、上記「類似する成分を持つ」とは、所定数のパラメータののうちの一部（所定数）が一致する場合をいう。こうして、第４の特定ユーザＡ’’’ｘが登録している第４のスポット群｛Ｔ’ｘ｝かつ検索範囲内に登録されているものに第４の所定ポイント（この例では、１ポイント）を加算する。
【００９６】
（ｃ）第３の検索ロジック
検索対象者Ａのみならず、検索範囲内に登録されているものに対して全てのユーザの登録しているスポットを参照し、登録しているユーザが一人いる毎に第５の所定ポイント（この例では、１ポイント）を加算する。
【００９７】
（ｄ）集計
こうして、第１乃至第３の検索ロジックの少なくともいずれかの検索結果（加算ポイントの合算ポイント）を参照し、合算ポイントの上位順で関連性の高いシンクロスポットであるとして、検索結果を画面表示してもよい。
【００９８】
或いは、第１乃至第３の検索ロジックの結果にそれぞれ重み付け係数を定義し、重み付けした合算ポイントの上位順で関連性の高いシンクロスポットであるとして、検索結果を画面表示してもよい。例えば、第１の検索結果の重み付け係数をａ１、第２の検索結果の重み付け係数をａ２、第３の検索結果の重み付け係数をａ３とした場合に、あるスポットの第１乃至第３の検索ロジックによるポイントがｂ１、ｂ２、ｂ３であったならば、
重み付け合算ポイント＝ａ１・ｂ１＋ａ２・ｂ２＋ａ３・ｂ３
となる。なお、これらの検索ロジック及び重み付けは、スタイルエンジン１１ｃにて管理者にて定義され、定期的に更新される。
【００９９】
次に、シンクロユーザ検索ロジック１５２の検索ロジックを詳述する。
【０１００】
該検索ロジックとしては、例えば以下の（ｅ）、（ｆ）を採用することができる。
【０１０１】
検索対象者であるユーザＡに提案すべきユーザを以下のようにポイントで評価し順位付けを行う。即ち、ユーザ群のうちｘ番目のユーザｘのポイントＰＴｘについては、後述する第４の検索ロジックによるポイントをＰ４、後述する第５の検索ロジックによるポイントをＰ５、各重み付け係数をｄ１,ｄ２とした場合、
ＰＴｘ＝Ｐ４・ｄ１＋Ｐ５・ｄ２
となる。以下、第４，５の検索ロジックにつき詳述する。
【０１０２】
（ｅ）第４の検索ロジック
検索対象者であるユーザＡの登録しているスポットを登録している他のユーザについては、合致するスポット１つにつき第６の所定ポイント（この例では、１０ポイント）を加算する。
【０１０３】
（ｆ）第５の検索ロジック
検索対象者であるユーザＡのスタイル成分と同じ成分を持つユーザを抽出する。同じ成分をもつユーザについては第７の所定ポイント（この例では、１０ポイント）を加算する。続いて、検索対象者であるユーザＡのスタイル成分と類似する成分を持つユーザを抽出する。ここで、上記「類似する成分を持つ」とは、所定数のパラメータののうちの一部（所定数）が一致する場合をいう。所定数の類似成分をもつユーザに対しては、第８のポイント（この例では、１ポイント）を加算する。
【０１０４】
（ｇ）集計
こうして、第４，５の検索ロジックの少なくともいずれかの検索結果（加算ポイントの合算ポイント）を参照し、合算ポイントの上位順で関連性の高いシンクロユーザであるとして、検索結果を画面表示してもよい。
或いは、第４，５の検索ロジックの結果にそれぞれ重み付け係数を定義し、重み付けした合算ポイントの上位順で関連性の高いシンクロユーザであるとして、検索結果を画面表示してもよい。例えば、第４の検索結果の重み付け係数をｃ１、第５の検索結果の重み付け係数をｄ２とした場合に、あるユーザの第４，５の検索ロジックによるポイントがｄ１、ｄ２であったならば、
重み付け合算ポイント＝ｃ１・ｄ１＋ｃ２・ｄ２
となる。なお、これらの検索ロジック及び重み付けは、スタイルエンジン１１ｃにて管理者にて定義され、定期的に更新される。
【０１０５】
以上説明したように、本発明の第２の実施の形態に係る情報検索システムは、ユーザＩＤとユーザ成分を少なくとも対応付けて記憶する会員情報ＤＢ１１ｄと、スポットＩＤとスポットかな、緯度・経度、カテゴリ、コメント、ユーザＩＤ、スポット成分を少なくともいずれかを対応付けて記憶したスポットテーブル１１ｂ−４と、少なくとも上記会員情報ＤＢ１１ｄを参照して、検索対象者の登録内容と他者の登録内容とを比較し、合致するユーザにつき所定のポイントを付し、該ポイントの合算値を用いることで、類似性の高いユーザＩＤを検索するシンクロユーザ検索部としてのシンクロユーザ検索ロジック１５０と、少なくとも上記会員情報ＤＢ１１ｄを参照して、検索対象者の登録内容と他者の登録内容とを比較し、合致するスポットにつき所定のポイントを付し、該ポイントの合算値を用いることで、類似性の高いスポットＩＤを検索するシンクロスポット検索部としてのシンクロスポット検索ロジック１５２と、上記シンクロユーザ検索ロジック１５１による検索結果、或いは上記シンクロスポット検索ロジック１５２による検索結果に基づきシンクロ結果表示を促す表示部としてのユーザＩ／Ｆ２１と、を具備する。
【０１０６】
従って、本発明の第２の実施の形態によれば、例えばユーザの地図上の行動範囲、登録情報、登録された日付や場所等に基づく行動履歴の共通性、登録内容に基づく嗜好の共通性、或いはユーザ指定の嗜好性の少なくともいずれかに基づいて関連する情報、またはユーザ情報を提供することにより、ユーザ自らが関連するキーワードを想定し主体的に情報を検索する場合よりも、効率的に自らの嗜好性に適した情報を提供すると共に、嗜好の親和性の高いユーザを繋ぐことで情報交換並びに人と人とのコミュニケーションを円滑化することができる。
【０１０７】
以上、本発明の第１及び第２の実施の形態について説明したが、本発明は、これに限定されることなく、その趣旨を逸脱しない範囲で種々の改良・変更が可能であることは勿論である。例えば、第１の実施の形態では、地図情報ＤＢ４として外部のＤＢを活用する例を示したが、これに限定されず、システム内に同ＤＢを設けてもよいことは勿論である。
【０１０８】
尚、本発明の実施の形態には、以下の観点も含まれる。
【０１０９】
（１）  ユーザＩＤとユーザ成分を少なくとも対応付けて記憶する会員情報データベースと、上記会員情報データベースを参照して、類似の成分をもつユーザＩＤを検索する類似成分ユーザＩＤ検索部と、この検索結果に基づいて、該当するユーザＩＤがあるか否かを判断する該当ユーザＩＤ判定部と、類似するユーザＩＤがあると判断した場合には、類似性に基づいてシンクロ結果表示を促すユーザ固有画面表示指示部と、を具備することを特徴とする情報検索システム。
【０１１０】
（２）  スポットＩＤとスポットかな、緯度・経度、カテゴリ、コメント、ユーザＩＤ、スポット成分を少なくともいずれかを対応付けて記憶したスポットテーブルと、上記スポットテーブルより対象スポットを抽出する対象スポット抽出部とを更に有し、ユーザ端末によりシンクロ結果表示より所望とするシンクロユーザが選択されると、上記対象スポット抽出部がスポットテーブルを参照し、上記ユーザ固有画面表示指示部が選択メンバのユーザ固有画面の表示を促すことを更に特徴とする（１）に記載の情報検索システム。
【０１１１】
（３）  ユーザ端末にて、シンクロユーザ選択、テンプレート選択、検索キーワード・カテゴリ選択、成分調整の少なくともいずれかが選択されると、上記対象スポット抽出部が上記スポットテーブルを参照して、対象スポットを抽出し、上記ユーザ固有画面表示部が、当該対象スポットに係るユーザ固有画面の表示を促すことを更に特徴とする（２）に記載の情報検索システム。
【０１１２】
（４）  スポットＩＤとユーザＩＤとを対応付けて記憶するシンクロリレーションテーブルと、このシンクロリレーションテーブルを参照して、上記スポットＩＤに基づいてシンクロスポットを抽出するシンクロスポット抽出部と、上記シンクロスポット抽出部により抽出されたシンクロスポットの中に該当するスポットがあるか否かを判断する該当スポット判定部と、上記該当スポット判定部が該当するスポットがあると判断した場合にはシンクロ結果表示を促すユーザ固有画面表示指示部と、を具備することを特徴とする情報検索システム。
【０１１３】
（５）  ユーザ端末と通信自在であり、地図情報と対応付けて日記、予定を少なくとも登録することが可能な情報検索システムであって、上記日記、予定を日記ＩＤと対応付けて記憶する日記・予定テーブルと、上記ユーザ端末でシンクロサーチリクエスト実行、或いは検索キーワード・カテゴリ指定後にシンクロサーチリクエスト実行の操作がなされると、上記日記・予定テーブルを参照して、シンクロ日記抽出処理を実行するシンクロ日記抽出部と、上記抽出された中に条件に一致する日記があるか否かを判断する条件判定部と、この判断の結果、条件に一致する日記があると判断した場合に、シンクロ日記表示に係るユーザ固有画面の表示を促すシンクロ日記表示指示部と、を具備することを特徴とする情報検索システム。
【０１１４】
（６）  ユーザの地図上の行動範囲、登録情報、或いは嗜好の共通性の少なくともいずれかに基づいて、関連するユーザを特定し、関連情報を提供する地図連動型の情報検索方法であって、類似成分ユーザＩＤ検索部が、上記会員情報データベースを参照して、類似性の高いユーザＩＤを検索し、該当ユーザＩＤ判定部が、この検索結果に基づいて該当するユーザＩＤがあるか否かを判断し、ユーザ固有画面表示指示部が、類似するユーザＩＤがあると判断した場合には、類似性に基づいてシンクロ結果表示を促すことを特徴とする情報検索方法。
【０１１５】
（７）  対象スポット抽出部が、スポットＩＤとスポットかな、緯度・経度、カテゴリ、コメント、ユーザＩＤ、スポット成分を少なくともいずれかを対応付けて記憶したスポットテーブルより対象スポットを抽出し、ユーザ端末によりシンクロ結果表示より所望とするシンクロユーザが選択されると、上記対象スポット抽出部がスポットテーブルを参照し、上記ユーザ固有画面表示指示部が選択メンバのユーザ固有画面の表示を促すことを更に特徴とする（６）に記載の情報検索方法。
【０１１６】
（８）  ユーザ端末にて、シンクロユーザ選択、テンプレート選択、検索キーワード・カテゴリ選択、成分調整の少なくともいずれかが選択されると、上記対象スポット抽出部が上記スポットテーブルを参照して、対象スポットを抽出し、上記ユーザ固有画面表示部が、当該対象スポットに係るユーザ固有画面の表示を促すことを更に特徴とする（７）に記載の情報検索方法。
【０１１７】
（９）  ユーザの地図上の行動範囲、登録情報、或いは嗜好の共通性の少なくともいずれかに基づいて関連するユーザを特定し、関連情報を提供する地図連動型の情報検索のためのコンピュータプログラムであって、コンピュータが、スポットＩＤとユーザ成分を少なくとも対応付けて記憶する会員情報データベースを参照して、類似性の高いユーザＩＤを検索する類似成分ユーザＩＤ検索部と、この検索結果に基づいて、該当するユーザＩＤがあるか否かを判断する該当ユーザＩＤ判定部と、類似するユーザＩＤがあると判断した場合には、類似性に基づいてシンクロ結果表示を促すユーザ固有画面表示指示部、として機能するためのコンピュータプログラム。
【０１１８】
（１０）  スポットＩＤとスポットかな、緯度・経度、カテゴリ、コメント、ユーザＩＤ、スポット成分を少なくともいずれかを対応付けて記憶したスポットテーブルより対象スポットを抽出する対象スポット抽出部と、を更に有し、ユーザ端末によりシンクロ結果表示より所望とするシンクロユーザが選択されると、上記対象スポット抽出部がスポットテーブルを参照し、上記ユーザ固有画面表示指示部が選択メンバのユーザ固有画面の表示を促すことを更に特徴とする（９）に記載のコンピュータプログラム。
【０１１９】
（１１）  ユーザ端末にて、シンクロユーザ選択、テンプレート選択、検索キーワード・カテゴリ選択、成分調整の少なくともいずれかが選択されると、上記対象スポット抽出部が上記スポットテーブルを参照して、対象スポットを抽出し、上記ユーザ固有画面表示部が、当該対象スポットに係るユーザ固有画面の表示を促すことを更に特徴とする（１０）に記載のコンピュータプログラム。
【０１２０】
（１２）  少なくともスポットテーブル（１１ｂ−４）、会員情報ＤＢ（１１ｄ）、シンクロリレーションテーブル（１１ｂ−１）、シンクロスポットテーブル（１１ｂ−２）、地図情報ＤＢ（４）、スタイルエンジン（１１ｃ）、成分ＤＢ（１１ｇ）のいずれかを参照して、検索対象者の登録内容と他者の登録内容とを比較し、合致するスポットにつき所定のポイントを付し、該ポイントの合算値を用いることで、類似性の高いスポットＩＤを検索するシンクロスポット検索部と、少なくともスポットテーブル（１１ｂ−４）、会員情報ＤＢ（１１ｄ）、地図情報ＤＢ（４）、シンクロリレーションテーブル（１１ｂ−１）、スタイルエンジン（１１ｃ）、成分ＤＢ（１１ｇ）のいずれかを参照して、検索対象者の登録内容と他者の登録内容とを比較し、合致するユーザにつき所定のポイントを付し、該ポイントの合算値を用いることで、類似性の高いユーザＩＤを検索するシンクロユーザ検索部と、上記シンクロスポット検索部による検索結果、或いはシンクロユーザ検索部による検索結果に基づきシンクロ結果表示を促す表示部と、を具備することを特徴とする情報検索システム。
【０１２１】
（１３）  シンクロスポット検索部が、少なくともスポットテーブル（１１ｂ−４）、会員情報ＤＢ（１１ｄ）、シンクロリレーションテーブル（１１ｂ−１）、シンクロスポットテーブル（１１ｂ−２）、地図情報ＤＢ（４）、スタイルエンジン（１１ｃ）、成分ＤＢ（１１ｇ）のいずれかを参照して、検索対象者の登録内容と他者の登録内容とを比較し、合致するスポットにつき所定のポイントを付し、該ポイントの合算値を用いることで、類似性の高いスポットＩＤを検索するステップと、シンクロユーザ検索部が、少なくともスポットテーブル（１１ｂ−４）、会員情報ＤＢ（１１ｄ）、地図情報ＤＢ（４）、シンクロリレーションテーブル（１１ｂ−１）、スタイルエンジン（１１ｃ）、成分ＤＢ（１１ｇ）のいずれかを参照して、検索対象者の登録内容と他者の登録内容とを比較し、合致するユーザにつき所定のポイントを付し、該ポイントの合算値を用いることで、類似性の高いユーザＩＤを検索するステップと、表示部が、上記シンクロスポット検索部による検索結果、或いはシンクロユーザ検索部による検索結果に基づきシンクロ結果表示を促すステップとを備えたことを特徴とする情報検索方法。
【０１２２】
（１４）  コンピュータが、少なくともスポットテーブル（１１ｂ−４）、会員情報ＤＢ（１１ｄ）、シンクロリレーションテーブル（１１ｂ−１）、シンクロスポットテーブル（１１ｂ−２）、地図情報ＤＢ（４）、スタイルエンジン（１１ｃ）、成分ＤＢ（１１ｇ）のいずれかを参照して、検索対象者の登録内容と他者の登録内容とを比較し、合致するスポットにつき所定のポイントを付し、該ポイントの合算値を用いることで、類似性の高いスポットＩＤを検索するシンクロスポット検索部と、少なくともスポットテーブル（１１ｂ−４）、会員情報ＤＢ（１１ｄ）、地図情報ＤＢ（４）、シンクロリレーションテーブル（１１ｂ−１）、スタイルエンジン（１１ｃ）、成分ＤＢ（１１ｇ）のいずれかを参照して、検索対象者の登録内容と他者の登録内容とを比較し、合致するユーザにつき所定のポイントを付し、該ポイントの合算値を用いることで、類似性の高いユーザＩＤを検索するシンクロユーザ検索部として機能することを特徴とするプログラム。
【図面の簡単な説明】
【０１２３】
【図１】本発明の一実施の形態に係る地図情報連動型の情報検索システムの構成を概念的に示した図である。
【図２】本発明の一実施の形態に係る地図情報連動型の情報検索システムの構成を更に具現化して示す構成図である。
【図３】本発明の一実施の形態に係る地図情報連動型の情報検索システムの構成を更に具現化して示す構成図である。
【図４】本発明の一実施の形態に係る地図情報連動型の情報検索システムの構成を更に具現化して示す構成図である。
【図５】本発明の一実施の形態に係る地図連動型の情報検索システムによる一連の処理の全体像を説明するフローチャートである。
【図６】本発明の一実施の形態に係る地図連動型の情報検索システムによる一連の処理の全体像を説明するフローチャートである。
【図７】図５のステップＳ１のユーザログオン処理を示すフローチャートである。
【図８】図５のステップＳ２のスポット登録処理（スタイルシンクロＩ）を説明するフローチャートである。
【図９】図５のステップＳ２のスポット登録処理（スタイルシンクロＩＩ）を説明するフォローチャートである。
【図１０】図５のステップＳ３のスタイルシンクロ実行処理（スタイルシンクロＩ）を説明するフローチャートである。
【図１１】図５のステップＳ３のスタイルシンクロ実行処理（スタイルシンクロＩ）の改良例を説明するフローチャートである。
【図１２】図５のステップＳ３のスタイルシンクロ実行処理（スタイルシンクロＩＩ）を説明するフローチャートである。
【図１３】図５のステップＳ３のスタイルシンクロ実行処理（スタイルシンクロＩＩ）の改良例を説明するフローチャートである。
【図１４】スタイルシンクロの実行結果に係る表示画面の一例を示す図である。
【図１５】図５のステップＳ４のスタイルフィルタ実行処理（他人眼鏡）につき更に詳細に説明するフローチャートである。
【図１６】図５のステップＳ４のスタイルフィルタ実行処理（自分眼鏡）につき更に詳細に説明するフローチャートである。
【図１７】スタイルフィルタの実行結果に係る表示画面の一例を示す図である。
【図１８】スタイルフィルタの実行結果に係る表示画面の一例を示す図である。
【図１９】図６のステップＳ６の日記・予定登録処理（コネクトメモリーズ、コネクトタイム）について詳細に説明するフローチャートである。
【図２０】図６のステップＳ７の日記・予定シンクロ実行処理（コネクトメモリーズ・コネクトタイム）について詳細に説明するフローチャートである。
【図２１】日記・予定シンクロ実行処理（コネクトメモリーズ）結果に係る表示の一例を示す図である。
【図２２】本発明の第２の実施の形態に係る地図情報連動型の情報検索システムの概要を概念図である。
【図２３】本発明の第２の実施の形態に係る地図情報連動型の情報検索システムの構成を更に具現化して示す図である。
【図２４】本発明の第２の実施の形態に係る地図情報連動型の情報検索システムの構成を更に具現化して示す図である。
【図２５】本発明の第２の実施の形態に係る地図連動型の情報検索システムによる一連の処理の全体像を説明するフローチャートである。
【図２６】ユーザ成分登録（設定）（ステップＳ１１）について更に詳細に説明するフローチャートである。
【図２７】シンクロスポット検索（ステップＳ１２）につき更に詳細に説明するフローチャートである。
【図２８】シンクロユーザ検索（ステップＳ１３）につき更に詳細に説明するフローチャートである。
【符号の説明】
【０１２４】
１…情報検索システム、２…ユーザ端末、３…インターネット、４…地図情報ＤＢ、１１ａ…日記・予定情報ＤＢ、１１ｂ…スポット情報ＤＢ、１１ｃ…スタイルエンジン、１２…制御部、１４…コンピュータプログラム、１４ａ…登録機能、１４ｂ…スタイルシンクロ機能、１４ｃ…スタイルフィルタ機能、１４ｄ…コネクトメモリーズ機能、１４ｅ…コネクトタイム機能、１４ｆ…シンクロスポット検索機能、１４ｇ…シンクロユーザ検索機能
【図１】
2008165761.tif 000003
【図２】
2008165761.tif 000004
【図３】
2008165761.tif 000005
【図４】
2008165761.tif 000006
【図５】
2008165761.tif 000007
【図６】
2008165761.tif 000008
【図７】
2008165761.tif 000009
【図８】
2008165761.tif 000010
【図９】
2008165761.tif 000011
【図１０】
2008165761.tif 000012
【図１１】
2008165761.tif 000013
【図１２】
2008165761.tif 000014
【図１３】
2008165761.tif 000015
【図１４】
2008165761.tif 000016
【図１５】
2008165761.tif 000017
【図１６】
2008165761.tif 000018
【図１７】
2008165761.tif 000019
【図１８】
2008165761.tif 000020
【図１９】
2008165761.tif 000021
【図２０】
2008165761.tif 000022
【図２１】
2008165761.tif 000023
【図２２】
2008165761.tif 000024
【図２３】
2008165761.tif 000025
【図２４】
2008165761.tif 000026
【図２５】
2008165761.tif 000027
【図２６】
2008165761.tif 000028
【図２７】
2008165761.tif 000029
【図２８】
2008165761.tif 000030